(57)【特許請求の範囲】
【請求項１】
伝送するためのファクシミリ画データを所定の転送速度で作成して送出するホスト装置から送出されるファクシミリ画データを公衆回線を介して汎用Ｇ３ファクシミリ伝送するときに前記ホスト装置と前記公衆回線間に設けられるアダプタ装置であって、
前記アダプタ装置は、前記ホスト装置とのインタフェースを行うホスト制御手段と、前記ファクシミリ画データを送信する画データ送信手段と、
通信接続するときにＩＴＵ−Ｔ勧告Ｖ．２９のプロトコルによって前記汎用Ｇ３ファクシミリのデータ信号速度及び最小走査時間能力を抽出して汎用Ｇ３ファクシミリに適合するデータ信号速度を解析し適切なデータ信号速度を選択するファクシミリ制御手段と、
前記公衆網回線との通信を制御する通信回線制御手段と、
から構成されているアダプタ装置。
【発明の詳細な説明】
【０００１】
【発明の属する技術分野】
本発明は、符号データを扱うホスト装置から汎用Ｇ３ファクシミリに符号データを伝送するときに使用するアダプタ装置に関する。
【０００２】
【従来の技術】
従来、ホスト装置（パソコン等）から汎用Ｇ３ファクシミリに公衆回線を介してファクシミリ画データ（符号データ）を伝送する場合は、ホスト装置側が汎用Ｇ３ファクシミリのデータ信号速度を考慮してファクシミリ画データを作成するようにしている。
【０００３】
【発明が解決しようとする課題】
前述した従来の方式では、ホスト装置からのファクシミリ画データ（符号データ）が、ある一定の転送速度で作成されている場合、汎用Ｇ３ファクシミリとのデータ信号速度に対する最小走査時間が短くなると、回線が切断され、通信ができなくなるという不具合があった。
【０００４】
本発明は、このような従来の課題を解決するためになされたもので、ホスト装置と汎用Ｇ３ファクシミリとのデータ信号速度に対する最小走査時間が短くなっても、回線を切断することなく両者間の通信を可能にしたアダプタ装置を提供することを目的としている。
【０００５】
【課題を解決するための手段】
上記課題を解決するために本発明は、伝送するためのファクシミリ画データを所定の転送速度で作成して送出するホスト装置から送出されるファクシミリ画データを公衆回線を介して汎用Ｇ３ファクシミリ伝送するときに前記ホスト装置と前記公衆回線間に設けられるアダプタ装置であって、前記アダプタ装置は、前記ホスト装置とのインタフェースを行うホスト制御手段と、前記ファクシミリ画データを送信する画データ送信手段と、通信接続するときにＩＴＵ−Ｔ勧告Ｖ．２９のプロトコルによって前記汎用Ｇ３ファクシミリのデータ信号速度及び最小走査時間能力を抽出して汎用Ｇ３ファクシミリに適合するデータ信号速度を解析し適切なデータ信号速度を選択するファクシミリ制御手段と、前記公衆網回線との通信を制御する通信回線制御手段とから構成している。
【０００７】
本発明によれば、アダプタ装置のファクシミリ制御手段が汎用Ｇ３ファクシミリのデータ信号速度及び最小走査時間能力を解析し、ホスト装置と汎用Ｇ３ファクシミリとの最小走査時間がデータ信号速度に対して短くなったときに汎用Ｇ３ファクシミリに適合するデータ信号速度に選択変更する。これにより、ホスト装置と汎用Ｇ３ファクシミリとのデータ信号速度に対する最小走査時間が短くなっても、回線を切断することなく両者間の通信が可能になる。
【０００８】
【発明の実施の形態】
図１は、本発明の実施の形態におけるアダプタ装置を適用した通信システムの構成を示すブロック図である。同図において、１０はパソコン等からなるホスト装置であり、伝送するためのファクシミリ画データ(符号データ)１０ａを作成し、１ページずつアダプタ装置１１に伝送する。
【０００９】
アダプタ装置１１は、通信接続時に行われる所定のプロトコルによって、汎用Ｇ３ファクシミリ１３のデータ信号速度及び最小走査時間能力を抽出するとともに、これを解析して適切なデータ信号速度を選択し、このデータ信号速度に従ってホスト装置１０から１ページずつ伝送されてきたファクシミリ画データ１０ａを公衆回線網１２に出力する。また、アダプタ装置１１には、公衆回線網１２を介して汎用Ｇ３ファクシミリ１３が接続されている。
【００１０】
アダプタ装置１１は、ホスト装置１０とのインタフェースを行うホスト制御手段１１１と、ファクシミリ画データを送信する画データ送信手段１１２と、汎用Ｇ３ファクシミリ１３のデータ信号速度及び最小走査時間能力を解析するファクシミリ制御手段１１３と、アタプタ装置１１と公衆回線網１２間の通信を制御する通信回線制御手段１１４とから構成されている。
【００１１】
このように構成された本実施形態の動作について、図２及び図３を参照して説明する。図２において、ホスト装置１０側で作成するファクシミリ画データはデータ信号速度が９６００ｂｐｓ、最小走査時間が５ｍｓで作成されるものとし、汎用Ｇ３ファクシミリ１３はＩＴＵ−Ｔ勧告Ｖ．２９で最小走査時間が５ｍｓの能力を有するものとする。また、この場合のホスト装置１０のファクシミリ画データ１０ａの１ライン構成データ長は６バイトであり、汎用Ｇ３ファクシミリ１３の１ラインを認識するための最小データ長は６バイトである。
【００１２】
図２において、ホスト装置１０は伝送するためのファクシミリ画データ１０ａを作成し、１ページづつアダプタ装置１１に伝送する。アダプタ装置１１のファクシミリ制御手段１１３では、汎用Ｇ３ファクシミリ１３のデータ信号速度及び最小走査時間能力を解析し、汎用Ｇ３ファクシミリの最小走査時間能力が５ｍｓであることを認識する。この場合、汎用Ｇ３ファクシミリの最小走査時間能力が、ホスト装置１０の最小走査時間を満たしているため、ホスト装置１０から１ページずつ伝送されてきたファクシミリ画データ１０ａは９６００ｂｐｓのデータ信号速度（ホスト装置１０が送出するデータ信号速度）で汎用Ｇ３ファクシミリ１３の通信手順に従い公衆回線網１２経由で汎用Ｇ３ファクシミリ１３に伝送される。汎用Ｇ３ファクシミリ１３では、伝送されてきたファクシミリ画データを受け取り処理する。
【００１３】
従って、図２に示す場合では、汎用Ｇ３ファクシミリ１３にホスト装置１０で作成したファクシミリ画データの能力があるため、そのままで通信することができる。
【００１４】
図３において、ホスト装置１０側で作成するファクシミリ画データはデータ信号速度が９６００ｂｐｓ、最小走査時間が５ｍｓで作成されるものとし、汎用Ｇ３ファクシミリ１３はＩＴＵ−Ｔ勧告Ｖ．２９で最小走査時間が１０ｍｓの能力を有するものとする。また、この場合のホスト装置１０のファクシミリ画データ１０ａの１ライン構成データ長は６バイトであり、汎用Ｇ３ファクシミリ１３の１ラインを認識するための最小データ長は１２バイトである。
【００１５】
図３において、ホスト装置１０は伝送するためのファクシミリ画データ１０ａを作成し、１ページづつアダプタ装置１１に伝送する。アダプタ装置１１のファクシミリ制御手段１１３では、汎用Ｇ３ファクシミリ１３のデータ信号速度及び最小走査時間能力を解析して適切なデータ信号速度を選択する。ここで、ホスト装置１０と汎用Ｇ３ファクシミリ１３との最小走査時間がデータ信号速度に対して短くなるため、従来の方式では通信異常となるが、本実施の形態では、ファクシミリ制御手段１１３が汎用Ｇ３ファクシミリ１３のデータ信号速度及び最小走査時間能力を解析することにより、汎用Ｇ３ファクシミリ１３に適合するデータ信号速度を４８００ｂｐｓに選択変更する。これにより、ホスト装置１０から１ページずつ伝送されてきたファクシミリ画データ１０ａは４８００ｂｐｓのデータ信号速度で汎用Ｇ３ファクシミリ１３の通信手順に従い公衆回線網１２経由で汎用Ｇ３ファクシミリ１３に伝送される。汎用Ｇ３ファクシミリ１３では、４８００ｂｐｓのデータ信号速度で伝送されてきたファクシミリ画データを受け取り処理する。
【００１６】
従って、ホスト装置１０と汎用Ｇ３ファクシミリ１３とのデータ信号速度に対する最小走査時間が短くなっても、回線を切断することなく両者間の通信が可能になる。
【００１７】
【発明の効果】
本発明によれば、アダプタ装置のファクシミリ制御手段が汎用Ｇ３ファクシミリのデータ信号速度及び最小走査時間能力を解析し、ホスト装置と汎用Ｇ３ファクシミリとの最小走査時間がデータ信号速度に対して短くなったときに汎用Ｇ３ファクシミリに適合するデータ信号速度に選択変更するから、ホスト装置と汎用Ｇ３ファクシミリとのデータ信号速度に対する最小走査時間が短くなっても、回線を切断することなく両者間の通信が可能になるという効果を有する。
【図面の簡単な説明】
【図１】  本発明の実施の形態におけるアダプタ装置を適用した通信システムの構成を示すブロック図である。
【図２】  本発明の実施の形態における動作説明用のブロック構成図である。
【図３】  本発明の実施の形態におけるデータ信号速度選択の動作を説明するブロック構成図である。
【符号の説明】
１０    ホスト装置
１０ａ  ファクシミリ画データ
１１    アダプタ装置
１２    公衆回線網
１３    汎用Ｇ３ファクシミリ
１１１  ホスト制御手段
１１２  画データ送信手段
１１３  ファクシミリ制御手段
１１４  通信回線制御手段
【図１】
0003678510.tif 000002
【図２】
0003678510.tif 000003
【図３】
0003678510.tif 000004